(57)【要約】  （無線ローカルエリアネットワークに接続された）ＰＯＳシステムを用い、モバイル機器を介してデジタル取引を実行する方法であって、上記ＰＯＳシステム（または顧客のモバイル機器）により、上記取引の初期化に用いられる、一意の一回限りのデジタルコードを生成するステップと、上記デジタルコードを生成後、自動的に無線ローカルエリアネットワークへのネットワークアクセスを可能にするステップであって、上記無線ネットワークへのアクセスを上記デジタルコードにより許可されるステップと、上記デジタルコードを用いて、上記モバイル機器が上記ローカルエリアネットワークへ接続し、上記機器から上記ＰＯＳシステムへ情報を提供するステップと、上記ＰＯＳシステムが上記モバイル機器から上記情報を取得後、上記ＰＯＳシステムは上記取引の決済を実行するステップとを含む方法。
2016507808.tif 000002
【特許請求の範囲】
【請求項１】
ＰＯＳシステムを用いてモバイル機器を介してデジタル取引を実行する方法であって、
上記ＰＯＳシステム（または顧客の上記モバイル機器により）により一意の一回限りのデジタルコードであって、上記取引を特定するデジタルコードを生成するステップと、
上記デジタルコードとともに上記取引データを、上記モバイル機器の所有者の銀行へ、第１デジタルネットワーク経路を介して送信するステップと、
上記デジタルコードおよび上記モバイル機器により通知されたアカウント情報を、並行して上記銀行へ第２デジタルネットワーク経路を介して送信するステップと、
上記銀行、クレジットカード会社、または取引ネットワークにより、上記ＰＯＳシステムからの上記取引データと、上記モバイル機器により通知された上記アカウント情報とをマージするステップと、上記マージが成功した場合、上記取引を決済するステップと、を含み、
上記デジタルコードは、上記ＰＯＳシステムの無線ローカルエリアネットワークへの接続のために一回のみ使用でき、
上記接続のために、上記モバイル機器のＩＭＳＩ、ＩＭＥＩ、ＭＡＣアドレス、または上記モバイル機器の他の一意の識別番号が要求され、
これらは上記取引のデータに組み入れられ、
上記モバイル機器は、上記ＩＭＳＩ、ＩＭＥＩ、またはＭＡＣアドレスを上記銀行へ並行して送信し、
上記ＩＭＳＩ、ＩＭＥＩ、またはＭＡＣアドレスが合致した場合のみ、取引のための決済が実行される、ことを特徴とする方法。
【請求項２】
上記アカウントのデータは、電子メールアカウント、またはソーシャルネットワークのアカウントのような、インターネットサービスにおいて保管され、上記インターネットサービスにログインすることにより、上記モバイル機器は上記アカウント情報および上記デジタルコードの送信をすることを特徴とする請求項１に記載の方法。
【請求項３】
上記デジタルコードは、上記モバイル機器に手動で入力できるように、上記ＰＯＳシステムによる受領書に印刷されていることを特徴とする請求項１または２に記載の方法。
【請求項４】
上記ネットワークは、（ＩＭＳＩ（International Mobile Subscriber, Identity）、ＩＭＥＩ（International Mobile Equipment Identity）、ＭＡＣ（Media Access Control Address）、または上記モバイル機器の他の一意の識別番号により、）接続時に上記モバイル機器を特定し、上記ＰＯＳシステムへ上記データを送信することを特徴とする請求項１〜３のいずれか１項に記載の方法。
【請求項５】
電話会社は、上記モバイル機器の位置座標を上記ＰＯＳシステムの実際の地理的位置と比較し、座標が合致しない場合、上記取引は制止されることを特徴とする請求項１〜４のいずれか１項に記載の方法。
【請求項６】
上記取引の処理が正常終了した後、上記コードに基づく上記ローカルエリアネットワークへのアクセスは、自動的に切断されることを特徴とする請求項１〜５のいずれか１項に記載の方法。
【請求項７】
上記無線ローカルエリアネットワークは、ＷｉＦｉ／ＷＬＡＮ（その他、ローカルエリアにおける様々な無線技術）であることを特徴とする請求項１〜６のいずれか１項に記載の方法。
【請求項８】
上記デジタルコードは、上記モバイル機器が手動による入力がされることなく上記データを送信できるように、無線接続、好ましくは、ＮＦＣ、Ｂｌｕｅｔｏｏｔｈ（登録商標）、またはＷｉＦｉ（登録商標）／ＷＬＡＮによって、ＰＯＳシステムから上記モバイル機器へ送信されることを特徴とする請求項１〜７のいずれか１項に記載の方法。
【請求項９】
モバイル機器、ＰＯＳシステム、および銀行システムを含むシステムであって、
請求項１〜８のいずれか１項に記載の方法を実行する仕組みを含むことを特徴とするシステム。
【発明の詳細な説明】
【発明の詳細な説明】
【０００１】
〔背景技術〕
〔１．技術分野〕
本発明は、オンライン取引システムに関する。
【０００２】
〔２．関連技術の記載〕
金融取引システムは、主として現金を用いない（キャッシュレス）取引が実行される、コンピュータ支援のアプリケーションシステムである。一般に、これらのシステムは、取引が実行されるデータベースシステムに基づく。データベースが常に、取引を適切に実行するために正しい状態となっていることを確実にするための保護機能が存在する。モバイル機器による支払や金銭取引では、支払を行う団体（パーティ：party）の同一性を確立すること、および、権限がない使用を避けることが重要である。国際公開ＷＯ２００８／０５０１３２Ａ２号には、取引データがモバイル機器とＰＯＳ（point of sale）システムに並行して送信され、両方のデータのセットが一致したときのみ実行される方法が開示されている。
【０００３】
国際公開ＷＯ２０１０／１２９３５７Ａ２号には、モバイル端末のために、動的なカード認証を与える方法が開示されている。
【０００４】
〔発明の概要〕
本発明の原理は、購買時に購買者および販売者からの情報の流れを分けることにある。それぞれのパーティは、通信チャネルを介して、支払システムに上記情報のパッケージを送信する。よって、それぞれの購買において、独立した２つの情報パッケージが支払システムに送信される。
【０００５】
ここで、それぞれの情報パッケージは、必須の要素、すなわち、売上票における一意の一回限りの番号（以降、“一意の一回限り（ユニークワンタイム）のデジタルコード”または“売上票”または“一意の識別子”という）を含む。この要素のみが、支払システムまたは銀行システムが、２つの情報パッケージを識別し、それらを相互に関連付けることを可能にする。
【０００６】
この手法は、ＰＯＳシステムを用いた実際の取引でも、インターネット上の取引でも用いられることができる
本発明は、ＰＯＳシステムを用いてモバイル端末を介してデジタル取引を実行する方法を含む。よって、上記方法は、以下のステップを含む。
【０００７】
−ＰＯＳシステムによって（または、顧客のモバイル機器によって）一意の一回限りのデジタルコードであって、上記取引を識別するデジタルコードを生成するステップ
−上記の一意の一回限りのデジタルコードとともに取引データを、第１デジタルネットワーク経路を介して、ＰＯＳシステムのオーナーの銀行へ送信するステップ
−上記の一意の一回限りのデジタルコードおよび上記モバイル機器により発行された課金情報を、第２デジタルネットワーク経路を介して、上記銀行へ並行して送信するステップ
−銀行によって（または支払システム／取引ネットワークによって）、ＰＯＳシステムからの取引データとモバイル機器によって発行された課金情報とをマージし、上記マージが成功した場合、上記取引を決済するステップ
マージは、上記コードが合致した場合、常に成功する。このように、銀行は、当該銀行でマージされた異なる経路を介して、上記取引が承認されたことを通知される。
【０００８】
銀行が課金データを認識することを確実にするために、例えば、課金データは、電子メールアカウント、またはソーシャルネットワークにおけるアカウントのようなインターネットサービスに格納される。そして、このインターネットサービスにログインすることにより、モバイル機器は上記課金データおよび上記デジタルコードの送信を行うことができる。この場合、上記コードは、以下に説明するように、上記機器に手動または自動で入力することができる。ウェブ基盤のソーシャルネットワークサービスはまた、ウェブ基盤の電子メールサービス、インスタントメッセージサービス、モバイル支払（デジタルウォレット）サービス、オンラインストアである。支払システムは、ＶＩＳＡ（登録商標）、またはマスターカード（登録商標）、または他の取引ネットワークのような従前のシステムを含む。モバイル機器は、スマートフォン、デジタルウォッチ、タブレット、デジタルブレスレット、デジタルリング、デジタルキーフォブ、またはＲＦＩＤステッカーであってもよい。
【０００９】
上記の一意の識別子はまた、ＰＯＳ装置または売上票に示されたパターンパスワード（パターンロック）を介して入力できてもよい。音声入力もまた考えられる。ＰＯＳ装置に接続する間におけるＮＦＣによる自動送信については、以下に記載する。
【００１０】
さらなる実施形態では、一意の一回限りのデジタルコードは、ＰＯＳシステムの無線ローカルネットワークに接続するために一度だけ用いられてもよい。このとき、接続のために、取引データに組み入れられる、モバイル機器のＩＭＳＩ、ＩＭＥＩ、またはＭＡＣアドレスが要求される。このとき、モバイル機器は、ＩＭＳＩ、ＩＭＥＩ、またはＭＡＣアドレスを、並行して銀行に送信し、ＩＭＳＩ、ＩＭＥＩ、またはＭＡＣアドレスが合致した場合のみ取引の決済が実行される。これは、一意の一回限りのデジタルコードだけでなく、顧客のモバイル機器のアドレスも確認されることを意味する。変形した実施形態では、上記のＩＭＳＩ、ＩＭＥＩ、またはＭＡＣアドレスは、実際のコードである。ＩＭＳＩ、ＩＭＥＩ、またはＭＡＣアドレスだけでなく、顧客のモバイル機器を示す他の一意の識別番号であってもよい。
【００１１】
好ましい実施形態では、モバイル機器において手動で入力できるようにするために、上記の一意の一回限りのデジタルコードは、ＰＯＳシステムの受領書に印刷されている。あるいは、上記のコードはまた、ネットワークを介してモバイル機器に送信されてもよい。この場合、上記の一意の一回限りのデジタルコードは、モバイル機器に手動の入力をせずにモバイル機器が送信できるように、ＰＯＳシステムからモバイル機器へ無線接続、好ましくはＮＦＣまたはＢｌｕｅｔｏｏｔｈ（登録商標）またはＷＬＡＮを介して送信される。
【００１２】
ＰＯＳシステムのネットワークは、ネットワークに接続したときに、モバイル機器のＩＭＳＩ（International Mobile Subscriber, Identity）またはＩＭＥＩ（International Mobile Equipment Identity）またはＭＡＣ（Media Access Control Address）または他の一意の識別番号からモバイル機器を特定し、ＰＯＳシステムに上記データを送信する。
【００１３】
加えて、電話サービス事業者への問い合わせにより、モバイル機器の位置座標、および比較するためのＰＯＳシステムの実際の地理的位置の取得が可能となり、また、もし座標が合致しなかった場合、取引を制止することができる。ゆえに、上記の座標により、上記データをマージするための判定基準をより確実にするさらなる比較が可能となり、取引を進めることが可能となる。
【００１４】
取引の正常終了に続き、上記コードに基づくローカルエリアネットワークへのアクセスが自動的に切断される。この場合において、無線ローカルエリアネットワークはＷｉＦｉ（登録商標）（以下、ＷｉＦｉまたはＷＬＡＮと記載する）である。
【００１５】
さらなる実施形態において、本発明は、モバイル機器、ＰＯＳシステム、および銀行システムを含むシステムを含み、前述したクレームの１または複数に基づく方法を実行する機構を特徴とする。
【００１６】
加えて、インターネットに関し、本発明は、無線ローカルエリアネットワークに接続しているＰＯＳシステムを用い、モバイル機器を介してデジタル取引を実行する方法であって、次のステップを含む方法に関する。
【００１７】
−ＰＯＳシステムにより一意の一回限りのデジタルコードであって、取引の開始に用いられるデジタルコードを生成するステップ
−上記の一意の一回限りのデジタルコードを生成後、上記無線ローカルエリアネットワークへのネットワークアクセスを自動的に可能にするステップ
ここで、上記無線ネットワークへのアクセスは、上記デジタルコードにより許可される
−上記デジタルコードを用いて、上記モバイル機器を上記ローカルエリアネットワークに接続し、顧客の上記モバイル機器から上記ＰＯＳシステムへ情報を提供するステップ
−上記顧客の上記モバイル機器からＰＯＳシステムが上記情報を取得後、上記ＰＯＳシステムは上記取引の決済を実行するステップ。
【００１８】
上記無線ネットワークは、好ましくは、ローカルＰＯＳ（販売時点情報管理システム）エリアに組み入れられたＷＬＡＮネットワークである。好ましい実施形態において、上記ＰＯＳシステムは、クレジットカード情報、アカウント番号、銀行分類コード等の銀行情報が格納されているという点で、上記モバイル機器の同一性の顧客アカウントへの割り当ての管理をするためにユーザアカウントを用いる。この取引データにＭＡＣアドレスを割り当てる利点は、モバイル機器の所有者にさらなるアカウントデータの送信を強いることをしないという点である。ＭＡＣアドレスは、アカウントデータへの割り当てを確立するために用いられるとともに、決済を実行することができる。不正を防ぐために、また、モバイル機器の通信会社が、機器が実際に金銭レジスターのあるエリアにおいて実際に動いているか、ＭＡＣアドレスが盗用されていないかを確認できるように、モバイル機器の通信会社のデータは顧客データとともに格納される。ＭＡＣアドレスに加えて、以下に示すような、モバイル機器の他の識別子を用いることも可能である。代わりに用いられるモバイル機器アカウントは、モバイル機器のアプリケーションを用いて、モバイルネットワークの送信先アドレスへデータを送信する。モバイル機器のモバイルネットワークの通信会社は、モバイル機器の位置を確認するために、上記の一意の識別子とアカウントデータを再度用いることができ、モバイル機器の通信会社は決済を実行することができる。なお、電話料金を介して請求するように、モバイル機器の通信会社の課金を借り方として記載することもできる。
【００１９】
好ましい実施形態において、上記の一意のデジタルコードは、上記の無線ローカルネットワークへの接続にのみ一度用いられる。これにより、一度用いられた一意のコードによりアクセスが許可されないことになる。
【００２０】
上記の一意の一回限りのデジタルコードは、多数の数字および文字を含むことができる。しかし、顧客は、手動入力で、最後の４つの数のみ入力してもよい。上記の一意のコードは、ランダムに生成されてもよいし、支払われる金額、売り手情報、買い手情報、ユーザ機器の数、またはモバイル機器の他の一意の識別番号のような、取引の異なる要素によって構成されてもよい。上記の一意のコードの生成は、売り手によって一意のコードが生成され、買い手に送信されることによって実行されてもよいし、スマートフォン、モバイルウォッチ、または他のモバイル機器によって生成され、売り手に送信されることによって生成されてもよい。
【００２１】
上記システムは、（購買が多数の場合でも繰り返しが起こらないことを確実にするために）公正なロングコードを生成できる。しかし、この場合、ローカルＷｉＦｉ／ＷＬＡＮネットワークに入るための一意のコードとして、例えば、最初または最後の４つのシンボルを選択する。短縮コードが入力されるとすぐに、上記システムは、完全なオリジナルの（ロング）コードをスマートフォンに送信する。
【００２２】
上記の一意の一回限りのデジタルコードは、様々な形式で送信されてもよい。上記の一意の一回限りのデジタルコードは、ＰＯＳシステムによって受領書に印刷されてもよい。これにより、モバイル機器に手動で入力できる。他の実施形態では、モバイル機器のアプリケーションにより読み取ることができるバーコードとして生成される。一般に、このバーコードは、モバイル機器のカメラによって検出される。他の実施形態では、上記受領書は、Ｂｌｕｅｔｏｏｔｈ（登録商標）、ＮＦＣ、またはＳＭＳのようなものを介してモバイル機器に送信されてもよい。モバイル機器に特定のアプリケーションがインストールされているのであれば、このコードは同様に解釈でき、モバイルネットワークにおける権限のために用いることができる。好ましくは、ユーザは、モバイルネットワークまたは無線ネットワークにアクセスする前に、入力が可能かどうかを確認すべきである。
【００２３】
第１の情報の流れにおいて、ネットワークへのアクセスのためのコードが入力される。このとき、顧客はネットワークに入り、ネットワークは顧客のＭＡＣアドレスを割り当てることができる。その後、顧客はネットワークから切り離される。これに続き、上記ＰＯＳシステムは、（購買者のＭＡＣアドレス、支払総計、上記の一意の一回限りのデジタルコード、販売者自身の情報を含む）情報パッケージを支払システム（例えば、銀行またはＶＩＳＡ等）へ送信する。
【００２４】
第２の情報の流れにおいて、スマートフォンは上記の一意の一回限りのデジタルコードを上記アプリケーションのプロバイダー／ソーシャルネットワーク（例えば、フェイスブックまたはグーグルメール）へ、並行して送信する。上記アプリケーションは、上記購買者の銀行の詳細を上記情報パッケージに加え、これを上記支払システム（例えば、銀行またはＶＩＳＡ等）へ送信する。上記支払システムは、上記の２つの情報パッケージを比較する。販売者は、上記支払システムからコミットメントを受信する。顧客の銀行は、上記支払システムからコミットメントを受信する。
【００２５】
手動でなく、コードが入力された場合、ＮＦＣ技術による自動入力が可能である。
【００２６】
上記モバイル／無線ネットワークへのアクセスを達成するために、上記ＰＯＳシステムは、上記デジタルコードを交換するために上記モバイルネットワークのための制御システムに接続する。例えば、上記制御システムは、ＲＡＤＩＵＳプロトコルを用いて、無線（cableness）ネットワークのためのアクセスポイントを制御できる。ユーザが無線ネットワークにログインした場合、対応するリクエストが上記無線ネットワークのアクセスポイントから上記制御システムに送信されてもよい。他の技術も考えられることは明らかである。しかし、上記の一意のパスワードが効率的に用いられるために、主として、無線アクセスポイントの制御には標準的なものが用いられるべきである。ログインが実行されるとともに、必要なデータが交換されたとき、上記制御システムは、ただちにアクセスをリセットする。
【００２７】
上述したように、１つの実施形態において、デジタルコードが入力され、モバイルネットワークへのログインがなされると、上記モバイル機器においてアプリケーションが実行される。取引を完了させるために、ログイン後、アカウント情報、クレジットカード情報、またはＩＭＳＩ情報は、上記アプリケーションから上記モバイルネットワークへ送信される。ネットワーク上の正しい場所へ上記情報を通信するために、上記モバイル機器がログインしている間、上記モバイル機器の適切な識別データが送信されるように、（例えば、ＤＨＣＰプロトコルを用いて）アドレスが送信される。これはまた、アカウント情報および、より詳細な情報を送信することを可能にする。上記モバイルネットワークにログインしている間、ネットワークアドレスは、アカウント情報、クレジットカード情報、またはＩＭＳＩ情報が送信されるように、上記モバイル機器に通知される。この情報が取得されたとき、一般的に、この情報は、認可に基づいてのみ送信される。信頼できるエンティティのみこの情報を受信することを確実にするために証明および同様な詳細を要求することもまた可能である。
【００２８】
代わりの実施形態において、上記モバイルネットワークの上記制御システムは、ログイン後、上記モバイル機器にてデジタル取引を実行するための情報を取得するためにネットワークを介して上記モバイル機器に注目する。その結果、上記ネットワークの制御システムは、（ＩＭＳＩ（International Mobile Subscriber, Identity）、ＩＭＥＩ（International Mobile Equipment Identity）、またはＭＡＣ（Media Access Control address）番号、または他の一意の識別番号を用いて）接続時に上記モバイル機器を特定し、ＰＯＳシステムにデータを送信する。
【００２９】
カンパニーとともに顧客アカウントが存在する場合、上記ＰＯＳシステムは、ネットワーク識別子に関する、アカウント情報および／またはネットワークプロバイダーの情報が格納されているデータベースにアクセスするためにネットワーク識別子を用いる。
【００３０】
上述したように、上記取引データおよび／またはＰＯＳシステムによる上記識別子は、アクセスデータが、電話会社によって上記モバイル機器へ送信されることを可能にする。ここで、電話会社は上記識別子の正当性を確認する。このために、電話会社は、上記ＩＭＳＩ、ＩＭＥＩ、またはＭＡＣを確認する。好ましくは、上記電話会社は、比較のために、上記モバイル機器の位置座標およびＰＯＳシステムの実際の地理的位置を確認する。そして、座標が合致しない場合、取引が制止されてもよいし、または対応する警告メッセージがＰＯＳシステムに送信されてもよい。
【００３１】
取引データおよび位置座標の両方が正当であることが認識できた場合、上記取引データは、銀行システムにて最終的に上記取引を実行する、対応する交換所（銀行）に送信される。
【００３２】
取引の結果が成功だった後、上記コードに基づく上記ローカルエリアネットワークへのアクセスは自動的に切断される。
〔図面の簡単な説明〕
図１は、ＷＬＡＮを用いない方法における経路を示す概略図である。
【００３３】
図２は、ＷＬＡＮを用いる方法における経路を示す概略図である。
【００３４】
図３は、ＷＬＡＮおよびＭＡＣアドレスを用いる方法における経路を示す概略図である。
【００３５】
図４は、モバイル機器に、手動ではなく、ＮＦＣネットワークによって識別子が入力されたときの方法における経路を示す概略図である。
【発明を実施するための形態】
【００３６】
本発明のアイデアは、購買時に購買者および販売者からの情報の流れを分けることに基づく。それぞれのパーティは、通信チャネルを介して、その情報パッケージを支払システムに送信する。よって、独立した２つの情報パッケージは、それぞれの購買とともに上記支払システムに送信される。
【００３７】
この場合において、それぞれの情報パッケージは、必須の要素、すわなち、売上票における一意の一回限りの番号を含む。この要素のみが上記支払システムが２つの情報パッケージを認識し、これらを相互に関連付けることを可能にする。
【００３８】
図１は、ＷＬＡＮを用いず、支払をインターネットで行う方法の経路を示す概略図である。
【００３９】
基本要素は、購買者は支払の詳細を指定しているという点で、ソーシャルネットワーク／電子メール／メッセンジャーのユーザであるということである。
これは、購買者および販売者から、支払に関する１つの情報が送信されることを意味する。この場合、売上票の一意の一回限りの番号は、接続を容易にするために用いられる。
【００４０】
図１に示すように、ステップ１Ａにて以下のステップが実行される。
【００４１】
オンラインハンドラ（または、択一的に購買者によって）によって、売上票の一意の一回限りの番号が生成される。
【００４２】
上記オンラインハンドラは、売上票の一意の一回限りの番号を（支払額およびその銀行の詳細とともに）上記支払システムに送信する（１Ａ）。
【００４３】
これに並行して、購買者は自身のソーシャルネットワーク／電子メール／メッセンジャーにログインするか、または既にログイン済みである（１Ｂ）。
【００４４】
購買者は、上記の売上票の一意の一回限りの番号を上記ソーシャルネットワーク／電子メール／メッセンジャーに送信する（１Ｃ）。上記ソーシャルネットワーク／電子メール／メッセンジャーは、この売上票の一意の一回限りの番号を、購買者の個人データとともに上記支払システムに送信する（２Ｂ）。上記支払システムは、同じ売上票の一意の一回限りの番号とともに２つの情報パッケージを受信し、処理のためにこれらを結び合わせる（２Ａ）。そして、上記支払システムは、カード発行銀行における顧客の支払能力を確認し（３）、適切であれば、問い合わせ確認を受信する（４）。
そして、上記支払システムは、問い合わせ確認を承継銀行へ送信する（５）。その後、再び、問い合わせ確認は、デパートまたは支払のための情報が通知されたＰＯＳシステムに送信される（６）。
【００４５】
図２において、基礎要素は、購買者は、支払の詳細が伝えられているソーシャルネットワーク／電子メール／メッセンジャーのユーザであるということである。購買者および販売者からの支払の情報である１つの分けられた送信が実行される。上記売上票の一意の一回限りの番号は、２つの情報パッケージの結び付きを容易にするために用いられる。それに加え、販売者（デパート、カフェ、立体駐車場等）のＷＬＡＮネットワークのＭＡＣアドレスは、２つの情報パッケージの結び付きを容易にするために用いられる。だいたい、処理の順序は図１と同様であるが、ここでのそれぞれの情報パッケージは、販売者のＷＬＡＮネットワークのためのＭＡＣアドレスを含む。
【００４６】
上記売上票の一意の一回限りの番号に加え、上記ＭＡＣアドレスは、上記支払システムによる２つの情報パッケージのマージに用いられてもよい。購買者は、自身のスマートフォンで販売者のＷＬＡＮネットワークを探し、パスワード（上記売上票の一意の一回限りの番号）を用いてログインする。
【００４７】
上記スマートフォンは、販売者のＷＬＡＮネットワークのＭＡＣアドレスにおける情報を受信し、これを上記支払システムに送信する。
【００４８】
上記販売者のＷＬＡＮネットワークは所望の販売に関する信号を受信し、このデータを上記支払システムに送信する（１）。
【００４９】
図１に対応するさらなるステップで、追加的に、ＷＬＡＮネットワークのＭＡＣアドレスは比較される。
【００５０】
図３は、修正した形態を再び示している。再度言うが、基礎要素は、購買者は、支払の詳細が明記されているソーシャルネットワーク／電子メール／メッセンジャーのユーザであるということである。購買者および販売者の支払を示す、１つの分けられた送信が実行される。可能な限り２つの情報パッケージを結びつけるための、上記売上票の一意の一回限りの番号の使用は、販売者（デパート、カフェ、立体駐車場等）のＷＬＡＮネットワークのＭＡＣアドレスの使用、および購買者の上記ＭＡＣアドレスの使用とマージされる。これにより、３つのパラメータを比較することになる。
【００５１】
処理の順序は、変形例１および２と同じである。しかし、ここでのそれぞれの情報パッケージは、購買者のスマートフォンのＭＡＣアドレスをも含む。
【００５２】
上記売上票の一意の一回限りの番号に加え、このＭＡＣアドレスは、上記支払システムの一部におけるマージに用いられる。
【００５３】
購買者は、自身のスマートフォンで販売者のＷＬＡＮネットワークを探し、パスワード（上記売上票の一意の一回限りの番号）を用いてログインする。
【００５４】
上記販売者のＷＬＡＮネットワークは、上記購買者のスマートフォンのＭＡＣアドレスを受信し、またその逆も同様である。それぞれのパーティは完全な情報パッケージとともに契約者のＭＡＣアドレスを上記支払システムに送信する（１）（２）（３）。
【００５５】
この場合において、両方のＭＡＣアドレスは、購買の経路において上記支払システムに送信される２つの情報パッケージの探索における追加の要素である。
【００５６】
図２および図３は、本発明の方法の過程を示す概略図である。第１ステップにおいて、ＰＯＳシステムは、無線ローカルエリアネットワークのための一意のアクセスパスワードをとともに取引の売上伝票を生成する。上記ＰＯＳシステムは、この番号をアクセス制御システムへ送信する。このアクセス制御システムは、上記モバイルローカルエリアネットワークへのアクセスに対する責任を負っている。上記モバイル機器がログインしたとき、上記ＰＯＳシステムは、アクセスシステム（図示せず）からログインに対応する情報を受信する。そして、上記ＰＯＳシステムは、デパートの口座がある銀行に、アカウントが、上記モバイル機器であって、顧客の口座がある、対応する銀行の詳細が記憶されているモバイル機器の識別子と関連付けられているかどうかを尋ねる。そして、承継銀行は、この問いわせを、上記ソーシャルネットワークから情報を取得している支払システム（ＶＩＳＡ、マスターカード）に送信する。このイベントにおいて、上記モバイル機器の識別子は位置と合致する。また、この位置は、電話会社から要求されている。さらに、追加データは利用可能である。電話会社が、位置と上記モバイル機器の識別子が合致し、権限のない使用ではないと確定した場合、上記支払システムへフィードバックされる。一方、サーバシステムは、権限のない使用ではないことを確実にするために、デパートの口座がある銀行を通知する。これらの詳細が交換されたとき、上記支払システムは、発行銀行を介して上記取引を終わらせる。これが実行されたとき、上記デパートに送金額が送信される。上記ＰＯＳシステムはまた、上記取引が成功に終わったことを通知される。
【００５７】
図４は、上記売上票の一意の一回限りの番号が、スマートフォンとＰＯＳシステムの間で、ＮＦＣネットワークを介して送信されることを追加で示す。これは、データを上記ソーシャルネットワークまたはネットワークサービスに送信する一方、銀行にも送信する。並行して、上記データは、デパートから銀行へ送信される。
【００５８】
１つの可能な実施形態において、上記方法は以下のように実行される。
【００５９】
購買者は商品（または製品、カフェにおけるサービス）を選択する。商品の購入およびその商品またはサービスに対する支払（金銭の受領者は「デパート（カフェ）と呼ばれる」）のときの動作の順序を以下記載する。デパート（カフェ）における金銭レジ／ＰＯＳシステムは直接または間接にデパート（カフェ）の無線ローカルエリアネットワークと接続する。少なくとも制御システムに接続し、制御システムはモバイルネットワークへのアクセスを管理する。例えば、上記制御システムは、制御ユニットおよび標準プロトコルを介して認証のためのアクセスを指定する。
【００６０】
デパート（カフェ）の従業員は、選択された商品をスキャンし、金銭レジ／ＰＯＳシステム（販売者はコンピュータに置き換えることができる）により、購買の最終的な金額とともに受領証番号が生成される。この番号は、好ましくは、生成器によってランダムに生成される。
【００６１】
購買において、および支払の間、一意の受領証または受領証番号が生成される。いかなる数字であってもよい（数字の並び）。
【００６２】
売上の受領証の生成において、デパート（カフェ）のＷＬＡＮ用の、一意のパスワード／ネットワークアクセスのためのアクセスが生成される。
ａ）完全に売上票の番号と一致する数字の順序
または、
ｂ）完全に異なる番号だが、ユーザが認識できるように売上票の番号と結びついている番号。
【００６３】
これは、パスワードとして、Ｎ位置コード（N-position code）であってもよい。これは便利であり、ユーザフレンドリーであり、認証に適し、素早く入力できる。
【００６４】
この一意のパスワードは、外部機器による１つのネットワークへのアクセスにのみ有効である。
【００６５】
顧客は、自身のスマートフォンで利用可能な無線ネットワークを確認するとともに、要求されたネットワークを選択し、上記コードを用いて有効化する。デパートまたはカフェのＷＬＡＮは、機能を動作させるためのパスワードを要求する。
【００６６】
顧客は、コードとして受領証のＮ桁の数字（N-number）を入力する。顧客によるＷＬＡＮの使用および売上票番号（同時にパスワード）の入力は、顧客のアカウントから特定額を支払うための顧客の要求を確認することになる。ここで、上記アカウントは、販売者側のローカルアカウントであり、ここには、モバイル機器の一意の識別番号および銀行情報が格納されている。あるいは、ネットワーク識別子は、モバイル機器の通信会社と請求とを電話会社の請求を介して行えることを確定するために用いられてもよい。さらなる実施形態において、上記モバイル機器は、銀行情報（クレジットカード、ＥＣカード等）を送信する。
【００６７】
デパートまたはカフェのＷＬＡＮへの一時的な接続は、それ自体、（売上票の）特定額を支払うことを希望することの確認とは別に、顧客へ他のネットワークの選択肢（例えば、インターネットアクセスの可能性）を与えることはない。
【００６８】
デパートまたはカフェのＷＬＡＮは、（ＩＭＳＩ（International Mobile Subscriber, Identity）番号またはＩＭＥＩ（International Mobile Equipment Identity）またはＭＡＣ（Media Access Control Address）または他の一意の識別番号によって）接続時にスマートフォンを初期化し、データを支払システムへ送信する。
【００６９】
上記データは、電話会社により売上票を介して送信される（この場合、電話会社は、顧客の個人特性を顧客のスマートフォンを介して認識する）。
【００７０】
コメント：電話会社は、顧客のための追加の安全フィルタとして利用されることができる。実際のＭＡＣアドレスはまた（このアドレスの使用の権限が与えられていない場合において）確認される。
【００７１】
電話会社が、デパートまたはカフェから、スマートフォンを通して顧客の識別子に関する問い合わせを受信した場合、スマートフォンのＧＰＳ座標をデパートまたはカフェの実際の地理的座標と比較できる。この座標が合致しない場合、取引を制止できる。
【００７２】
さらなる確認のための変形例は、次の通りである。電話会社は、ＩＭＳＩ／ＩＭＥＩ／ＭＡＣ番号（またはモバイル機器の他の一意の識別番号）からスマートフォンの位置を確かめることができる。そして、この位置は、デパートまたはカフェの実際の地理的位置と比較される。
【００７３】
上記支払システムは、上記の問い合わせを発行者（クレジットカードまたはＥＣカードを発行した、または顧客の口座を開設した銀行）へ送信し、顧客の支払能力に基づいて、許可または拒否を受信する。そして、デパート／カフェは、取引が実行されたかどうかを通知される。
【００７４】
顧客のスマートフォンによる、デパートまたはカフェのＷｉＦｉ／ＷＬＡＮへのアクセスは、支払が成功した後、自動的に切断される。
【００７５】
なお、支払システムと販売者との間を取り次ぐ他の中継機能も可能である。例えば、ソーシャルネットワークアプリケーションは、顧客のスマートフォンにインストールされることができる。このアプリケーションは、上記支払システムへ顧客の個人特性を送信する機能を実行することができる。
【００７６】
電話会社と従来からある支払システムとを直接接続するような、販売者と主銀行との間の他の接続もまた考えられる。
【図面の簡単な説明】
【００７７】
【図１】ＷＬＡＮを用いない方法における経路を示す概略図である。
【図２】ＷＬＡＮを用いる方法における経路を示す概略図である。
【図３】ＷＬＡＮおよびＭＡＣアドレスを用いる方法における経路を示す概略図である。
【図４】モバイル機器に、手動ではなく、ＮＦＣネットワークによって識別子が入力されたときの方法における経路を示す概略図である。
【図１】
2016507808.tif 000003
【図２】
2016507808.tif 000004
【図３】
2016507808.tif 000005
【図４】
2016507808.tif 000006
【国際調査報告】
2016507808.tif 000007
2016507808.tif 000008
2016507808.tif 000009
2016507808.tif 000010
2016507808.tif 000011
2016507808.tif 000012